(57)【要約】  本発明は、ビームトレーニング方法および装置、ならびに通信システムを提供し、送信端と受信端との間のビームトレーニングプロセスのオーバーヘッドを低減する。本出願に係るビームトレーニング方法は、送信端は、ビームペアリンク（ＢＰＬ）識別子と送信ビーム間の第１のマッピング関係を決定するステップと、前記送信端は、受信端のための第１の基準信号リソースを設定し、前記第１の基準信号リソースの設定情報を前記受信端に送信するステップとを備え、前記設定情報は第１のＢＰＬ識別子を搬送する。
2020530723.tif 000002
【特許請求の範囲】
【請求項１】
送信端は、ビームペアリンク（ＢＰＬ）識別子と送信ビーム間の第１のマッピング関係を決定するステップと、
前記送信端は、受信端のための第１の基準信号リソースを設定し、前記第１の基準信号リソースの設定情報を前記受信端に送信するステップとを備え、
前記設定情報は第１のＢＰＬ識別子を搬送することを特徴とするビームトレーニング方法。
【請求項２】
前記第１のマッピング関係は、具体的には、ＢＰＬ識別子、チャネル状態情報第１の基準信号リソースインジケータ（ＣＲＩ）および送信ビーム間のマッピング関係を含むことを特徴とする請求項１に記載のビームトレーニング方法。
【請求項３】
前記送信端は、前記第１のマッピング関係内の前記第１のＢＰＬ識別子に対応する第１の送信ビームを更新することを特徴とする請求項１に記載のビームトレーニング方法。
【請求項４】
前記送信端が、前記第１のマッピング関係内の前記第１のＢＰＬ識別子に対応する第１の送信ビームを更新する場合、
前記送信端は、前記受信端が基準信号を測定して報告するように、前記第１の基準信号リソースにおいて、前記受信端に基準信号を送信し、
前記送信端は、前記受信端によって送信された前記基準信号の測定報告結果に基づいて、前記第１のマッピング関係内の前記第１のＢＰＬ識別子に対応する第１の送信ビームを更新することを特徴とする請求項３に記載のビームトレーニング方法。
【請求項５】
前記送信端は、前記第１のＢＰＬ識別子に対応する第１の送信ビームを使用して、前記第１の基準信号リソースにおいて、前記受信端が第２のマッピング関係を更新するように、前記受信端に基準信号を送信し、
前記第２のマッピング関係は、ＢＰＬ識別子、ＣＲＩおよび受信ビーム間のマッピング関係を含むことを特徴とする請求項１に記載のビームトレーニング方法。
【請求項６】
前記受信端が第２のマッピング関係を更新する場合、
前記受信端は、前記第２のマッピング関係内の前記第１のＢＰＬ識別子に対応する第１の受信ビームを更新することを特徴とする請求項５に記載のビームトレーニング方法。
【請求項７】
前記送信端は、次のように前記第１のマッピング関係を決定し、
前記送信端は、前記受信端のための第２の基準信号リソースを設定し、
前記送信端は、前記受信端によって基準信号を測定して報告するように、前記第２の基準信号リソースにおいて、前記受信端に基準信号を送信し、
前記送信端は、前記受信端によって送信された前記基準信号の測定報告結果に基づいて、前記第１のマッピング関係を決定することを特徴とする請求項１に記載のビームトレーニング方法。
【請求項８】
前記送信端ＢＰＬ識別子とＣＲＩとの間のマッピング関係を前記受信端に送信することを特徴とする請求項１に記載のビームトレーニング方法。
【請求項９】
受信端は、ビームペアリンク（ＢＰＬ）識別子と受信ビームとの間の第２のマッピング関係を決定するステップと、
前記受信端は、送信端によって送信された第１の基準信号リソースの設定情報を受信するステップと、
前記受信端は、前記第１の基準信号リソースを通じて前記送信端によって送信された基準信号を受信するステップとを備え、
前記設定情報は第１のＢＰＬ識別子を含むことを特徴とするビームトレーニング方法。
【請求項１０】
前記第２のマッピング関係は、ＢＰＬ識別子、チャネル状態情報基準信号リソースインジケータ（ＣＲＩ）、および受信ビーム間のマッピング関係を含むことを特徴とする請求項９に記載のビームトレーニング方法。
【請求項１１】
前記受信端は、前記第２のマッピング関係内の前記第１のＢＰＬ識別子に対応する第１の受信ビームを更新することを特徴とする請求項９に記載のビームトレーニング方法。
【請求項１２】
前記受信端が、前記第２のマッピング関係内の前記第１のＢＰＬ識別子に対応する第１の受信ビームを更新する場合、
前記受信端は、送信端によって送信された基準信号を受信し、前記基準信号の測定結果に基づいて、前記第２のマッピング関係内の前記第１のＢＰＬ識別子に対応する第１の受信ビームを更新することを特徴とする請求項１１に記載のビームトレーニング方法。
【請求項１３】
前記受信端は、前記第１のＢＰＬ識別子に対応する第１の受信ビームを使用して、前記基準信号を受信し、
前記受信端は、前記送信端によって第１のマッピング関係を更新するように、前記基準信号の測定結果を前記送信端に報告し、
前記第１のマッピング関係は、ＢＰＬ識別子、ＣＲＩ、および送信ビーム間のマッピング関係を含むことを特徴とする請求項９に記載のビームトレーニング方法。
【請求項１４】
前記送信端が第１のマッピング関係を更新する場合、
前記送信端は、前記第１のマッピング関係内の前記第１のＢＰＬ識別子に対応する送信ビームを更新することを特徴とする請求項１３に記載のビームトレーニング方法。
【請求項１５】
前記受信端は、次のように前記第２のマッピング関係を決定し、
前記受信端は、前記送信端によって送信された第２の基準信号リソース設定情報を受信し、
前記受信端は、第２の基準信号リソースにおいて、前記送信端によって送信された基準信号を受信し、各第２の基準信号リソースに対応する受信ビームを決定し、ＣＲＩと受信ビームとの間のマッピング関係を決定し、
前記受信端は、前記送信端によって送信されたＢＰＬ識別子とＣＲＩとの間のマッピング関係を受信し、
前記受信端は、前記ＣＲＩと受信ビームとの間のマッピング関係および前記ＢＰＬ識別子とＣＲＩとの間のマッピング関係に基づいて、前記第２のマッピング関係を決定することを特徴とする請求項９に記載のビームトレーニング方法。
【請求項１６】
ビームペアリンク（ＢＰＬ）識別子と送信ビームとの間の第１のマッピング関係を決定するように構成された第１のユニットと、
受信端のための第１の基準信号リソースを設定し、前記第１の基準信号リソースの設定情報を前記受信端に送信するように構成された第２のユニットとを備え、
前記設定情報は第１のＢＰＬ識別子を搬送することを特徴とするビームトレーニング装置。
【請求項１７】
ビームペアリンク（ＢＰＬ）識別子と受信ビームとの間の第２のマッピング関係を決定するように構成された第３のユニットと、
送信端によって送信された第１の基準信号リソースの設定情報を受信するように構成された第４のユニットと、
第１の基準信号リソースを通じて前記送信端によって送信された基準信号を受信するように構成された第５のユニットとを備え、
前記設定情報は第１のＢＰＬ識別子を含むことを特徴とするビームトレーニング装置。
【請求項１８】
請求項１６から１７のいずれか一項に記載の装置および／または請求項２４から３０のいずれか一項に記載の装置を含むことを特徴とする通信システム。
【請求項１９】
メモリ内のプログラムを読み取り、以下のプロセスを実行するように構成されたプロセッサと、
プロセッサ５００の制御下でデータを送受信するように構成された送受信機とを備え、
前記プロセッサは、ビームペアリンク（ＢＰＬ）識別子と送信ビームとの間の第１のマッピング関係を決定し、
受信端のための第１の基準信号リソースを設定し、送受信機を通じて前記受信端に前記第１の基準信号リソースの設定情報を送信し、前記設定情報は第１のＢＰＬ識別子を搬送することを特徴とするビームトレーニング装置。
【請求項２０】
前記第１のマッピング関係は、ＢＰＬ識別子、チャネル状態情報第１の基準信号リソースインジケータ（ＣＲＩ）および送信ビーム間のマッピング関係を含むことを特徴とする請求項１９に記載のビームトレーニング装置。
【請求項２１】
前記プロセッサはさらに、前記第１のマッピング関係内の前記第１のＢＰＬ識別子に対応する第１の送信ビームを更新することを特徴とする請求項１９に記載のビームトレーニング装置。
【請求項２２】
前記プロセッサが前記第１のマッピング関係内の前記第１のＢＰＬ識別子に対応する第１の送信ビームを更新する場合、
前記第１の基準信号リソースにおいて、前記受信端が基準信号を測定して報告するように、送受信機を通じて前記受信端に基準信号を送信し、
前記受信端によって送信された前記基準信号の測定報告結果に基づいて、前記第１のマッピング関係内の前記第１のＢＰＬ識別子に対応する第１の送信ビームを更新することを特徴とする請求項２１に記載のビームトレーニング装置。
【請求項２３】
前記プロセッサは、さらに、
前記第１のＢＰＬ識別子に対応する第１の送信ビームを使用して、前記受信端が第２のマッピング関係を更新するように、前記第１の基準信号リソースにおいて、送受信機を通じて前記受信端に基準信号を送信し、
前記第２のマッピング関係は、ＢＰＬ識別子、ＣＲＩおよび受信ビーム間のマッピング関係を含むことを特徴とする請求項１９に記載のビームトレーニング装置。
【請求項２４】
前記受信端が第２のマッピング関係を更新する場合、
前記受信端は、前記第２のマッピング関係内の前記第１のＢＰＬ識別子に対応する第１の受信ビームを更新することを特徴とする請求項２３に記載のビームトレーニング装置。
【請求項２５】
前記プロセッサは次のように前記第１のマッピング関係を決定し、
前記受信端のための第２の基準信号リソースを設定し、
前記受信端が基準信号を測定して報告するように、前記第２の基準信号リソースにおいて、送受信機を通じて前記受信端に基準信号を送信し、
前記受信端によって送信された前記基準信号の測定報告結果に基づいて、前記第１のマッピング関係を決定することを特徴とする請求項１９に記載のビームトレーニング装置。
【請求項２６】
前記プロセッサは、さらに、
ＢＰＬ識別子とＣＲＩとの間のマッピング関係を前記受信端に送信することを特徴とする請求項１９に記載のビームトレーニング装置。
【請求項２７】
メモリ内のプログラムを読み取り、以下のプロセスを実行するように構成されたプロセッサと、
プロセッサ６００の制御下でデータを送受信するように構成された送受信機とを備え、
前記プロセッサは、ビームペアリンク（ＢＰＬ）識別子と受信ビームとの間の第２のマッピング関係を決定し、
送受信機を通じて送信端によって送信された第１の基準信号リソースの設定情報を受信し、前記設定情報は第１のＢＰＬ識別子を含み、
送受信機を通じて前記送信端が前記第１の基準信号リソースを通じて送信した基準信号を受信することを特徴とするビームトレーニング装置。
【請求項２８】
前記第２のマッピング関係は、ＢＰＬ識別子、チャネル状態情報基準信号リソースインジケータ（ＣＲＩ）、および受信ビーム間のマッピング関係を含むことを特徴とする請求項２７に記載のビームトレーニング装置。
【請求項２９】
前記プロセッサはさらに、前記第２のマッピング関係内の前記第１のＢＰＬ識別子に対応する第１の受信ビームを更新することを特徴とする請求項２８に記載のビームトレーニング装置。
【請求項３０】
前記プロセッサが前記第２のマッピング関係内の前記第１のＢＰＬ識別子に対応する第１の受信ビームを更新する場合、
送受信機を通じて送信端によって送信された基準信号を受信し、前記基準信号の測定結果に基づいて、前記第２のマッピング関係内の前記第１のＢＰＬ識別子に対応する第１の受信ビームを更新することを特徴とする請求項２９に記載のビームトレーニング装置。
【請求項３１】
前記プロセッサは、前記第１のＢＰＬ識別子に対応する第１の受信ビームを使用して、前記基準信号を受信し、
前記プロセッサは、さらに、
前記送信端が第１のマッピング関係を更新するように、前記基準信号の測定結果を前記送信端に報告し、
前記第１のマッピング関係は、ＢＰＬ識別子、ＣＲＩ、および送信ビーム間のマッピング関係を含むことを特徴とする請求項２７に記載のビームトレーニング装置。
【請求項３２】
前記送信端は、前記第１のマッピング関係内の前記第１のＢＰＬ識別子に対応する送信ビームを更新することを特徴とする請求項３１に記載のビームトレーニング装置。
【請求項３３】
前記プロセッサは、次のように前記第２のマッピング関係を決定し、
送受信機を通じて前記送信端によって送信された第２の基準信号リソース設定情報を受信し、
第２の基準信号リソースにおいて、送受信機を通じて前記送信端によって送信された基準信号を受信し、各第２の基準信号リソースに対応する受信ビームを決定し、ＣＲＩと受信ビームとの間のマッピング関係を決定し、
送受信機を通じて前記送信端によって送信されたＢＰＬ識別子とＣＲＩとの間のマッピング関係を受信し、
前記ＣＲＩと受信ビームとの間のマッピング関係および前記ＢＰＬ識別子とＣＲＩとの間のマッピング関係に基づいて、前記第２のマッピング関係を決定することを特徴とする請求項２９に記載のビームトレーニング装置。
【発明の詳細な説明】
【技術分野】
【０００１】
［関連出願の相互参照］
本出願は、２０１７年８月１１日に中国特許局に提出し、出願番号が２０１７１０６８７８３６.７であり、発明名称が「ビームトレーニング方法および装置、ならびに通信システム」との中国特許出願を基礎とする優先権を主張し、その開示の総てをここに取り込む。
【０００２】
本発明は、通信技術分野に関し、特にビームトレーニング方法および装置、ならびに通信システムに関する。
【背景技術】
【０００３】
現在、多入力多出力（ＭＩＭＯ）技術をさらに改善するために、大規模アンテナ技術が移動通信システムに導入されている。基地局の場合、大規模アンテナアレイには最大５１２個または１０２４個のアンテナ素子が搭載されている場合がある。フルデジタルアンテナを使用する場合、各アンテナ素子は１つの送受信ユニット（ＴＸＲＵ）に接続され、現時点で最大５１２または１０２４のＴＸＲＵが存在する場合がある。端末では、最大３２/６４のアンテナ素子を備えたアンテナアレイも構成できる。基地局側と端末側でビームフォーミングを行うことにより、ビーム損失によって生じる信号の減衰を補うために、巨大なビームフォーミングゲインを得ることができる。特に、高周波通信の経路損失（たとえば３０ ＧＨｚの周波数ポイント）は、低周波通信の経路損失よりも深刻であるため、無線信号のカバレッジエリアは非常に制限される。大規模アンテナのビームフォーミング技術により、無線信号のカバーエリアを実用範囲に拡大できる。
【０００４】
アナログビームフォーミング性能をさらに改善するために、デジタルビームフォーミングの柔軟性とアナログビームフォーミングの低い複雑さの間のバランスを取ったデジタルアナログハイブリッドビームフォーミングの送受信スキームもある。複数のデータストリームと複数のユーザーの同時フォーミングをサポートする能力を有する。同時に、複雑さも合理的な範囲内で制御される。
【０００５】
現在、アナログビームフォーミングおよびデジタルアナログハイブリッドビームフォーミングの両方は、送信および受信端でアナログビームフォーミングの重みを調整する必要があり、それにより、それらにより形成されるビームは通信の反対端に整列できる。ダウンリンク送信の場合、基地局側が送信するビームフォーミングの重みと端末側が受信するビームフォーミングの重みを調整する必要があるが、アップリンク送信の場合、端末側が送信するビームフォーミングの重みと基地局側が受信するビームフォーミングの重みを調整する必要がある。通常、ビームフォーミングの重みは、トレーニング信号を送信することによって取得される。
【発明の概要】
【発明が解決しようとする課題】
【０００６】
既存のアナログビームトレーニングプロセスでは、受信端が最良の受信ビームを検索しやすくするため、送信端はすべての送信ビームを送信する必要がある。ただし、大規模アンテナアレイを使用するシステムでは、ビーム数が２５６、１０２４以上に達する可能性があるため、ビームトレーニングプロセスは高オーバーヘッドで非効率的である。
【０００７】
本出願の実施形態は、送信端と受信端との間のビームトレーニングプロセスのオーバーヘッドを低減するために、ビームトレーニング方法および装置、ならびに通信システムを提供する。
【課題を解決するための手段】
【０００８】
本出願の実施形態に係るビームトレーニング方法は、
送信端は、ビームペアリンク（Ｂｅａｍ Ｐａｉｒ Ｌｉｎｋ,ＢＰＬ）識別子と送信ビーム間の第１のマッピング関係を決定し、
前記送信端は、受信端のための第１の基準信号（ｒｅｆｅｒｅｎｃｅ ｓｉｇｎａｌ）リソースを設定し、前記第１の基準信号リソースの設定情報を前記受信端に送信し、前記設定情報は第１のＢＰＬ識別子を搬送する。
【０００９】
本出願の実施形態によって提供される上述のビームトレーニング方法において、ＢＰＬ識別子とＣＲＩとの間のマッピング関係は、送信端で受信端のために設定され、第１のＢＰＬ識別子は設定情報で運ばれる。したがって、ＢＰＬ識別子のみが、送信端によって送信された基準信号リソースを受信する受信端が受信ビームを決定できるようになり、ＢＰＬ識別子は、さらに使用され得る。送信端および受信者によるＢＰＬマッピング関係の維持と更新にさらに使用され得ることにより、ビームトレーニングプロセスのシステムオーバーヘッドを削減する。
【００１０】
任意選択で、本出願の実施形態によって提供される上述のビームトレーニング方法において、前記第１のマッピング関係は、具体的には、ＢＰＬ識別子、チャネル状態情報第１の基準信号リソースインジケータ（ＣＲＩ）および送信ビーム間のマッピング関係を含む。
【００１１】
任意選択で、本出願の実施形態によって提供される上述のビームトレーニング方法において、前記送信端は、前記第１のマッピング関係内の前記第１のＢＰＬ識別子に対応する第１の送信ビームを更新する。
【００１２】
任意選択で、本出願の実施形態によって提供される上述のビームトレーニング方法において、前記送信端が、前記第１のマッピング関係内の前記第１のＢＰＬ識別子に対応する第１の送信ビームを更新する場合、
前記送信端は、前記第１の基準信号リソースにおいて、前記受信端が前記基準信号を測定して報告するように、前記受信端に基準信号を送信し、
前記送信端は、前記受信端によって送信された前記基準信号の測定報告結果に基づいて、前記第１のマッピング関係内の前記第１のＢＰＬ識別子に対応する第１の送信ビームを更新する。
【００１３】
任意選択で、本出願の実施形態によって提供される上述のビームトレーニング方法において、
前記送信端は、前記第１のＢＰＬ識別子に対応する第１の送信ビームを使用して、前記第１の基準信号リソースにおいて、前記受信端が第２のマッピング関係を更新するように、前記受信端に基準信号を送信し、
前記第２のマッピング関係は、ＢＰＬ識別子、ＣＲＩおよび受信ビーム間のマッピング関係を含む。
【００１４】
任意選択で、本出願の実施形態によって提供される上述のビームトレーニング方法において、前記受信端が第２のマッピング関係を更新する場合、
前記受信端は、前記第２のマッピング関係内の前記第１のＢＰＬ識別子に対応する第１の受信ビームを更新する。
【００１５】
任意選択で、本出願の実施形態によって提供される上述のビームトレーニング方法において、前記送信端は、次のように前記第１のマッピング関係を決定し、
前記送信端は、前記受信端のための第２の基準信号リソースを設定し、
前記送信端は、前記第２の基準信号リソースにおいて、前記受信端が前記基準信号を測定して報告するように、前記受信端に基準信号を送信し、
前記送信端は、前記受信端によって送信された前記基準信号の測定報告結果に基づいて、前記第１のマッピング関係を決定する。
【００１６】
任意選択で、本出願の実施形態によって提供される上述のビームトレーニング方法において、
前記送信端ＢＰＬ識別子とＣＲＩとの間のマッピング関係を前記受信端に送信する。
本出願の実施形態に係るビームトレーニング方法は、
受信端は、ビームペアリンク（ＢＰＬ）識別子と受信ビームとの間の第２のマッピング関係を決定するステップと、
前記受信端は、送信端によって送信された第１の基準信号リソースの設定情報を受信するステップと、
前記受信端は、前記第１の基準信号リソースを通じて前記送信端によって送信された基準信号を受信するステップとを備え、
前記設定情報は第１のＢＰＬ識別子を含む。
【００１７】
任意選択で、本出願の実施形態によって提供される上述のビームトレーニング方法において、前記第２のマッピング関係は、ＢＰＬ識別子、チャネル状態情報基準信号リソースインジケータ（ＣＲＩ）、および受信ビーム間のマッピング関係を含む。
【００１８】
任意選択で、本出願の実施形態によって提供される上述のビームトレーニング方法において、前記受信端は、前記第２のマッピング関係内の前記第１のＢＰＬ識別子に対応する第１の受信ビームを更新する。
【００１９】
任意選択で、本出願の実施形態によって提供される上述のビームトレーニング方法において、前記受信端が、前記第２のマッピング関係内の前記第１のＢＰＬ識別子に対応する第１の受信ビームを更新する場合、
前記受信端は、送信端によって送信された基準信号を受信し、前記基準信号の測定結果に基づいて、前記第２のマッピング関係内の前記第１のＢＰＬ識別子に対応する第１の受信ビームを更新する。
【００２０】
任意選択で、本出願の実施形態によって提供される上述のビームトレーニング方法において、前記受信端は、前記第１のＢＰＬ識別子に対応する第１の受信ビームを使用して、前記基準信号を受信し、
また、
前記受信端は、前記送信端によって第１のマッピング関係を更新するように、前記基準信号の測定結果を前記送信端に報告し、
前記第１のマッピング関係は、ＢＰＬ識別子、ＣＲＩ、および送信ビーム間のマッピング関係を含む。
【００２１】
任意選択で、本出願の実施形態によって提供される上述のビームトレーニング方法において、前記送信端が第１のマッピング関係を更新する場合、
前記送信端は、前記第１のマッピング関係内の前記第１のＢＰＬ識別子に対応する送信ビームを更新する。
【００２２】
任意選択で、本出願の実施形態によって提供される上述のビームトレーニング方法において、前記受信端は、次のように前記第２のマッピング関係を決定し、
前記受信端は、前記送信端によって送信された第２の基準信号リソース設定情報を受信し、
前記受信端は、前記第２の基準信号リソースにおいて、前記送信端によって送信された基準信号を受信し、各第２の基準信号リソースに対応する受信ビームを決定し、ＣＲＩと受信ビームとの間のマッピング関係を決定し、
前記受信端は、前記送信端によって送信されたＢＰＬ識別子とＣＲＩとの間のマッピング関係を受信し、
前記受信端は、前記ＣＲＩと受信ビームとの間のマッピング関係および前記ＢＰＬ識別子とＣＲＩとの間のマッピング関係に基づいて、前記第２のマッピング関係を決定する。
【００２３】
本出願の実施形態に係るビームトレーニング装置は、
ビームペアリンク（ＢＰＬ）識別子と送信ビームとの間の第１のマッピング関係を決定するように構成された第１のユニットと、
受信端のための第１の基準信号リソースを設定し、前記第１の基準信号リソースの設定情報を前記受信端に送信するように構成された第２のユニットとを備え、
前記設定情報は第１のＢＰＬ識別子を搬送する。
【００２４】
任意選択で、本出願の実施形態に係るビームトレーニング装置において、前記第１のマッピング関係は、具体的には、ＢＰＬ識別子、チャネル状態情報第１の基準信号リソースインジケータ（ＣＲＩ）および送信ビーム間のマッピング関係を含む。
【００２５】
任意選択で、本出願の実施形態に係る上記ビームトレーニング装置において、前記第１のユニットはさらに、前記第１のマッピング関係内の前記第１のＢＰＬ識別子に対応する第１の送信ビームを更新する。
【００２６】
任意選択で、本出願の実施形態に係る上記ビームトレーニング装置において、前記第１のユニットが前記第１のマッピング関係内の前記第１のＢＰＬ識別子に対応する第１の送信ビームを更新する場合、
前記第１の基準信号リソースにおいて、前記受信端が前記基準信号を測定して報告するように、前記受信端に基準信号を送信し、
前記受信端によって送信された前記基準信号の測定報告結果に基づいて、前記第１のマッピング関係内の前記第１のＢＰＬ識別子に対応する第１の送信ビームを更新する。
【００２７】
任意選択で、本出願の実施形態に係る上記ビームトレーニング装置において、前記第２のユニットはさらに、
前記第１のＢＰＬ識別子に対応する第１の送信ビームを使用して、前記第１の基準信号リソースにおいて、前記受信端が第２のマッピング関係を更新するように、前記受信端に基準信号を送信し、
前記第２のマッピング関係は、ＢＰＬ識別子、ＣＲＩおよび受信ビーム間のマッピング関係を含む。
【００２８】
任意選択で、本出願の実施形態に係る上記ビームトレーニング装置において、前記受信端が第２のマッピング関係を更新する場合、
前記受信端は、前記第２のマッピング関係内の前記第１のＢＰＬ識別子に対応する第１の受信ビームを更新する。
【００２９】
任意選択で、本出願の実施形態に係る上記ビームトレーニング装置において、前記第１のユニット次のように前記第１のマッピング関係を決定し、
前記受信端のための第２の基準信号リソースを設定し、
前記第２の基準信号リソースにおいて、前記受信端が前記基準信号を測定して報告するように、前記受信端に基準信号を送信し、
前記受信端によって送信された前記基準信号の測定報告結果に基づいて、前記第１のマッピング関係を決定する。
【００３０】
任意選択で、本出願の実施形態に係る上記ビームトレーニング装置において、前記第２のユニットはさらに、ＢＰＬ識別子とＣＲＩとの間のマッピング関係を前記受信端に送信する。
【００３１】
本出願の実施形態に係るビームトレーニング装置は、
ビームペアリンク（ＢＰＬ）識別子と受信ビームとの間の第２のマッピング関係を決定するように構成された第３のユニットと、
送信端によって送信された第１の基準信号リソースの設定情報を受信するように構成された第４のユニットと、
第１の基準信号リソースを通じて前記送信端によって送信された基準信号を受信するように構成された第５のユニットとを備え、
前記設定情報は第１のＢＰＬ識別子を含む。
【００３２】
任意選択で、本出願の実施形態に係る上記ビームトレーニング装置において、前記第２のマッピング関係は、ＢＰＬ識別子、チャネル状態情報基準信号リソースインジケータ（ＣＲＩ）、および受信ビーム間のマッピング関係を含む。
【００３３】
任意選択で、本出願の実施形態に係る上記ビームトレーニング装置において、前記第３のユニットはさらに、前記第２のマッピング関係内の前記第１のＢＰＬ識別子に対応する第１の受信ビームを更新する。
【００３４】
任意選択で、本出願の実施形態に係る上記ビームトレーニング装置において、前記第３のユニット前記第２のマッピング関係内の前記第１のＢＰＬ識別子に対応する第１の受信ビームを更新する場合、
送信端によって送信された基準信号を受信し、前記基準信号の測定結果に基づいて、前記第２のマッピング関係内の前記第１のＢＰＬ識別子に対応する第１の受信ビームを更新する。
【００３５】
任意選択で、本出願の実施形態に係る上記ビームトレーニング装置において、前記第５のユニットは具体的に、前記第１のＢＰＬ識別子に対応する第１の受信ビームを使用して、前記基準信号を受信し、
前記第５のユニットはさらに、
前記送信端によって第１のマッピング関係を更新するように、前記基準信号の測定結果を前記送信端に報告し、
前記第１のマッピング関係は、ＢＰＬ識別子、ＣＲＩ、および送信ビーム間のマッピング関係を含む。
【００３６】
任意選択で、本出願の実施形態に係る上記ビームトレーニング装置において、前記送信端が第１のマッピング関係を更新する場合、
前記送信端は、前記第１のマッピング関係内の前記第１のＢＰＬ識別子に対応する送信ビームを更新する。
【００３７】
任意選択で、本出願の実施形態に係る上記ビームトレーニング装置において、前記第３のユニットは次のように前記第２のマッピング関係を決定し、
前記送信端によって送信された第２の基準信号リソース設定情報を受信し、
前記第２の基準信号リソースにおいて、前記送信端によって送信された基準信号を受信し、各第２の基準信号リソースに対応する受信ビームを決定し、ＣＲＩと受信ビームとの間のマッピング関係を決定し、
前記送信端によって送信されたＢＰＬ識別子とＣＲＩとの間のマッピング関係を受信し、
前記ＣＲＩと受信ビームとの間のマッピング関係および前記ＢＰＬ識別子とＣＲＩとの間のマッピング関係に基づいて、前記第２のマッピング関係を決定する。
【００３８】
本出願の実施形態に係る通信システムは、本出願の実施形態に係るいずれかのビームトレーニング装置を含む。
【００３９】
本出願の実施形態に係るビームトレーニング装置は、
プログラム命令を格納するように構成されたメモリと、
前記メモリに格納されたプログラム命令を呼び出し、取得されたプログラムに従って上記のビームトレーニング方法のいずれかを実行するように構成されたプロセッサとを備える。
【００４０】
本出願の実施形態に係る別のビームトレーニング装置は、
プログラム命令を格納するように構成されたメモリと、
前記メモリに格納されたプログラム命令を呼び出し、取得されたプログラムに従って上記のビームトレーニング方法のいずれかを実行するように構成されたプロセッサとを備える。
【図面の簡単な説明】
【００４１】
【図１】本出願の実施形態に係るビームトレーニング方法（送信端および受信端を含む）のフロー概略図である。
【図２】本出願の実施形態に係るビームトレーニング方法基地局側送信ビームの更新のフロー概略図である。
【図３】本出願の実施形態に係るビームトレーニング方法端末側受信ビームの更新のフロー概略図である。
【図４】本出願の実施形態に係るビームトレーニング方法（送信端）のフロー概略図である。
【図５】本出願の実施形態に係るビームトレーニング方法（受信端）のフロー概略図である。
【図６】本出願の実施形態に係るビームトレーニング装置（送信端）の構造概略図である。
【図７】本出願の実施形態に係るビームトレーニング装置（受信端）の構造概略図である。
【図８】本出願の実施形態に係る別のビームトレーニング装置（送信端）の構造概略図である。
【図９】本出願の実施形態に係る別のビームトレーニング装置（受信端）の構造概略図である
【発明を実施するための形態】
【００４２】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００４３】
本発明の技術案は多様な通信システムに応用することができる。例えば、ＧＳＭ(登録商標)（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ(登録商標)（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）、ＮＲ（Ｎｅｗ Ｒａｄｉｏ）等に応用できる。
【００４４】
また、本発明に係る実施例において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００４５】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ(登録商標)またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ(登録商標)の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）、または、５Ｇ ＮＲにおける基地局（ｇＮＢ）であってもよいが、本発明をそれに限定しない。
【００４６】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００４７】
受信端がデータ送信の前に合理的に受信ビームを設定するために、送信端は、データチャネルまたは制御チャネルの送信ビームに関連する情報（Ｄｅｍｏｄｕｌａｔｉｏｎ Ｒｅｆｅｒｅｎｃｅ Ｓｉｇｎａｌ，（ＤＭＲＳ）のデータまたは制御チャネル復調基準信号）を受信端に通知する必要がある。１つの通知方法は、ＱＣＬ（Ｑｕａｓｉ−Ｃｏ−Ｌｏｃａｔｅｄ）仮説を受信側に伝達することである。つまり、データまたはその制御チャネルのＤＭＲＳポートが、どの基準信号のポートとの間に、空間パラメーターに関して（空間到着角の平均値、または空間到着角の拡大、または空間開始角の平均値、または空間開始角の拡大など）ＱＣＬ関係を有するかを受信側に伝える。２つの信号が１つの空間パラメーターに対してＱＣＬ関係である場合、１つの信号の空間パラメーターは他の信号の空間パラメーターから推測できる（たとえば、２つの信号の空間パラメーターは同じである）。送信側が受信側に、データまたはその制御チャネルのＤＭＲＳが空間パラメーターに関してどの基準信号のポートとの間にＱＣＬ関係を有するかを通知する場合、受信側はこれらの基準信号のポートに基づいて空間パラメーターを推定することができ、受信ビームを決定し、これらの受信ビームを使用してデータまたは制御信号を受信する。
【００４８】
本願の実施形態において、基準信号は、例としてチャネル状態情報基準信号（Ｃｈａｎｎｅｌ Ｓｔａｔｅ Ｉｎｆｏｒｍａｔｉｏｎ−Ｒｅｆｅｒｅｎｃｅ Ｓｉｇｎａｌ，ＣＳＩ−ＲＳ）であり、すなわち、送信側は、データまたは制御チャネルのＤＭＲＳが、空間パラメーターに関してどのＣＳＩ−ＲＳリソースによって送信された基準信号との間に、ＱＣＬ関係を有するかを、受信側に通知する。たとえば、基地局（送信側）は端末（受信側）に対してＮ個のＣＳＩ−ＲＳリソースを設定し、各ＣＳＩ−ＲＳリソースの信号は１つのビームで送信される。端末は、Ｎ個のＣＳＩ−ＲＳリソースを測定し、最高品質のＱ個のＣＳＩ−ＲＳリソースを選択し、Ｑ個のＣＳＩ−ＲＳリソースの識別子およびその品質指標を基地局にフィードバックする。品質指標は、基準信号受信電力（Ｒｅｆｅｒｅｎｃｅ Ｓｉｇｎａｌ Ｒｅｃｅｉｖｉｎｇ Ｐｏｗｅｒ，ＲＳＲＰ）または基準信号受信品質（Ｒｅｆｅｒｅｎｃｅ Ｓｉｇｎａｌ Ｒｅｃｅｉｖｉｎｇ Ｑｕａｌｉｔｙ，ＲＳＲＱ）などであってもよい。基地局は、端末によってフィードバックされた情報を受信し、それに応じて送信用の送信ビームを決定し、それにより、データまたは制御チャネルのＤＭＲＳとの間のＱＣＬであるＣＳＩ−ＲＳリソースを決定する。基地局は、端末が適切な受信ビームを設定できるように、ＣＳＩ−ＲＳリソースインジケータ（ＣＲＩ）を端末に送信する。
【００４９】
既存のアナログビームトレーニングプロセスにおいて、送信端は、受信端が最良の受信ビームを探索することを容易にするために、すべての送信ビームを送信する必要がある。ただし、大規模アンテナアレイを使用するシステムでは、ビーム数が２５６、１０２４以上に達することがあり、ビーム情報の１つの表示には８ビット、１０ビット、またはそれ以上が必要である。したがって、本願の実施形態は、ビームトレーニングプロセスにおけるシステムオーバーヘッドを低減するビームトレーニング方法を提供する。
【００５０】
以下において、送信端は基地局であり、受信端は例として端末（ＵＥ）である。本願の実施形態によって提供される送信端と受信端との間のビームトレーニングに関連する処理方法は、図１に示されるとおりであり、具体的には以下のステップを含む。
【００５１】
ステップＳ１０１：基地局は、端末に対してＮ（Ｎ≧１）個の基準信号リソースを設定する。
【００５２】
１つの基準信号リソースは、いくつかの時間周波数リソース、例えば、１つの直交周波数分割多重化（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）シンボル内のいくつかのリソース要素（Ｒｅｓｏｕｒｃｅ Ｅｌｅｍｅｎｔ，ＲＥ）を含む。基準信号リソースは、時間領域で繰り返し表示される場合がある。たとえば、特定の期間で繰り返し表示される場合や、１つの期間で複数回表示される場合がある。
【００５３】
ステップS１０２：基地局は、端末が測定報告を実行し、端末が測定結果を基地局に報告するように、設定された基準信号リソースにおいて、端末に基準信号を送信する。
【００５４】
基地局側で：
Ｐ（Ｐ≧１）個のアンテナポートの基準信号は、各基準信号リソースにマッピングされてもよい。異なる基準信号リソースから送信される基準信号は、異なるダウンリンク送信ビームを使用して送信されてもよい。基地局には合計
【００５５】
【数１】
2020530723.tif 000003
【００５６】
個のダウンリンク送信ビーム候補があり、各ダウンリンクビームはビームフォーミング重みの集合に対応し、ｎ番目のビームの送信ビームフォーミング重みは
【００５７】
【数２】
2020530723.tif 000004
【００５８】
であると想定される。ここで、Ｋはビームフォーミングアンテナユニットの数であり、基地局のアンテナユニットの数よりよりも少なくてもかまわない。たとえば、１つのダウンリンクビームが１つの送受信ユニットに接続されたＫ個のアンテナユニットからのみ送信される場合、ビームフォーミングのアンテナユニットの数Ｋは、基地局のアンテナユニットの数よりも少なくなる。
【００５９】
基地局は、１つの基準信号リソースを選択して、各ダウンリンク送信ビーム候補に対応するダウンリンク基準信号を送信する。例えば、
【００６０】
【数３】
2020530723.tif 000005
【００６１】
個のダウンリンク送信ビームの場合、基地局は
【００６２】
【数４】
2020530723.tif 000006
【００６３】
個の基準信号リソースを設定し、各ビームの基準信号は、送信のために、１つの基準信号リソースにマッピングされる。
【００６４】
例えば、基地局が２５６個のダウンリンク送信ビームを有する場合、基地局は２５６個の基準信号リソースを設定し、各ビームの基準信号は送信のために１つの基準信号リソースにマッピングされる。各ダウンリンク送信ビームの基準信号は、当該ビームに対応するビームフォーミング重みを使用してフォーミングされ、マッピングされた基準信号リソースで送信される。
【００６５】
任意選択で、特定の実装形態および本願の実施形態によって提供されるビーム情報を示す上記の方法では、上記のＮ個の基準信号リソースは、周期的または半永続的なリソース、すなわち基準である。信号は周期的または半永続的に送信される。
【００６６】
端末側で：
端末は、基地局によって送信された基準信号を受信し、各基準信号リソースに対応する受信ビームを決定する。端末の受信ビームは、候補受信ビームから選択されてもよい。端末には合計
【００６７】
【数５】
2020530723.tif 000007
【００６８】
個の受信ビームがあり、各受信ビームはビームフォーミング重みの集合に対応し、n番目のビームの受信ビームフォーミング重みは
【００６９】
【数６】
2020530723.tif 000008
【００７０】
である。ここで、Ｌはビームフォーミングアンテナ素子の数であり、Ｌは端末のアンテナ素子より小さい。１つのＣＳＩ−ＲＳリソースの基準信号の場合、端末は各受信ビームをそれぞれ使用して受信を試み、ＣＳＩ−ＲＳリソースの受信ビームとして最も強い受信信号電力を持つ受信ビームを選択する。
【００７１】
任意選択で、特定の実施では、端末は各ＣＳＩ−ＲＳリソースに対応する受信ビームを保存する。もちろん、端末は、ＣＳＩ−ＲＳリソースの一部に対応する受信ビームを保存することもできるが、これはここでは限定されない。ここで、端末は、ＣＳＩ−ＲＳリソースインジケータ（ＣＳＩ−ＲＳ Ｒｅｓｏｕｒｃｅ Ｉｎｄｉｃａｔｏｒ，ＣＲＩ）と受信ビームの間のマッピング関係を保存できる。
【００７２】
任意選択で、特定の実施において、および本願の実施形態によって提供されるビーム情報を示す上記の方法において、基地局は、リソース集合によって端末のＣＳＩ−ＲＳリソースを設定することもできる。たとえば、基地局は端末のＳ個のＣＳＩ−ＲＳリソース集合を設定する。Ｎs個のＣＳＩ−ＲＳリソースは、ｓ番目のリソース集合に含まれている。したがって、ＣＳＩ−ＲＳリソースを識別する方法は多数ある。以下に例を示す。
【００７３】
第１の方法：
リソース集合インデックス＋ ＣＳＩ−ＲＳリソースインデックス：ここでのＣＳＩ−ＲＳリソースインデックスは、１集合のＣＳＩ−ＲＳリソースのシリアル番号を指す。各ＣＳＩ−ＲＳリソースは、リソース集合インデックス（ＲＳＩ）とＣＳＩ−ＲＳリソースインデックス（ＣＲＩ）の２つのインデックスによって唯一に決定される。
【００７４】
第２の方法：
ＣＳＩ−ＲＳリソースインデックス：ＣＳＩ−ＲＳリソース集合内のすべてのＣＳＩ−ＲＳリソースは番号付けされている。
【００７５】
設定および識別方法に関係なく、本出願の実施形態の以降の説明は、ＣＳＩ−ＲＳリソースインデックスを表すためにＣＲＩを一様に使用する。リソース集合インデックス＋ ＣＳＩ−ＲＳリソースインデックスの方法が使用される場合、ＣＲＩは（ＲＳＩ、ＣＲＩ）に置き換えられる。
【００７６】
ステップＳ１０３：基地局は、ビームペアリンク（Ｂｅａｍ Ｐａｉｒ Ｌｉｎｋ，ＢＰＬ）識別子とＣＲＩとの間のマッピング関係を確立する。
【００７７】
ＢＰＬ識別子とＣＲＩとの間のマッピング関係は、ＢＰＬ識別子とＣＲＩとの間のマッピング関係を定義する。ＢＰＬ識別子の数は、事前に設定された値であるか、基地局自体によって決定される。ＢＰＬ識別子の数が基地局によって決定される場合、その数はシグナリングを通じて基地局から端末に通知される必要がある。一般に、ＢＰＬ識別子の数は、ダウンリンク送信ビームの数よりもはるかに少ないである。たとえば、２５６個のダウンリンク送信ビームがある場合、ＢＰＬ識別子の数は４または８である。
【００７８】
ＢＰＬ識別子がマッピングされるＣＲＩは、端末の測定報告を通じて基地局によって決定されてもよく、基地局は、端末によって報告された測定結果に従ってマッピングテーブルを確立する。
【００７９】
マッピングテーブル内の各ＢＰＬ識別子は、１つのＣＳＩ−ＲＳリソース（ＣＲＩにより表される）にマッピングされる。異なるＣＳＩ−ＲＳリソースは異なるダウンリンク送信ビームによって送信されるため、異なるＢＰＬ識別子は異なるダウンリンク送信ビームを表す。
【００８０】
以下の表１に示すようなＢＰＬマッピングの一例では、表１のＢＰＬ識別子の数は２であり、ＢＰＬ識別子「０」はＣＲＩ０にマッピングされ、送信ビーム（Ｔｘビーム）０に対応する。ＢＰＬ識別子「１」はＣＲＩ１にマッピングされ、Ｔｘ ｂｅａｍ １に対応する。
【００８１】
【表１】
2020530723.tif 000009
【００８２】
特定の実施形態および本願の実施形態によって提供されるビーム情報を示す上記の方法において、端末は、基地局によって送信されたダウンリンク基準信号を受信し、Ｑ個の基準信号リソースを選択する。
【００８３】
端末が基地局によって送信される基準信号リソースを選択する方法は、例として以下に示される。
【００８４】
基地局によって送信された基準信号リソースを受信した後、端末は各基準信号リソースの受信信号を測定し、その受信信号の品質を計算し、最も受信品質が高いＱ個の基準信号リソースを選択する。受信品質を高から低にランク付けした後の最初のＱ個の基準信号リソースを選択する。受信品質インジケータはＲＳＲＰまたはＲＳＲＱなどである。
【００８５】
オプションとして、特定の実施において、Ｑの値は、基地局によって決定されて端末に通知されてもよく、または端末自体によって決定されてもよく、これは限定されない。例えば、端末は、受信品質が特定のしきい値よりも大きい独立した実例の数に従ってＱの値を決定してもよい。
【００８６】
端末は、Ｑ個の基準信号リソースの識別子を基地局にフィードバックする。
【００８７】
例えば、Ｎ ＝ ２５６（Ｎは基地局により送信されたＣＳＩ−ＲＳリソースの数）およびＱ ＝ ２（Ｑは端末により選択されたＣＳＩ−ＲＳリソースの数）である場合、端末は、以下の表２に示すように、選択した２つのＣＳＩ−ＲＳリソース（ＣＲＩ）の識別子と、それに対応するＲＳＲＰを報告する。
【００８８】
【表２】
2020530723.tif 000010
【００８９】
端末によって報告された情報を受信した後、基地局は、以下の表３に示されるようなＢＰＬマッピングテーブルを確立する（ＣＲＩのインデックスxに対応する基地局の送信ビームのインデックスもxである）：
【００９０】
【表３】
2020530723.tif 000011
【００９１】
上述の端末によって報告された情報を参照して基地局がＢＰＬマッピングテーブルを確立するということは、基地局が端末によって報告された情報に完全に従ってＢＰＬマッピングテーブルを確立できない場合があることを意味する。たとえば、端末が依然として表２に示す内容に従って報告する場合、基地局は、それ自体の考慮事項、たとえばマルチユーザーペアリングの要件またはその他の理由に基づいて、以下の表３-１に示すＢＰＬ識別子、ＣＲＩ、および送信ビーム間のマッピング関係テーブルを確立できる：
【００９２】
【表３−１】
2020530723.tif 000012
【００９３】
ステップＳ１０４：基地局は、ＢＰＬ識別子とＣＲＩとの間のマッピング関係テーブルを端末に送信する。
【００９４】
例えば、ステップＳ１０３に対応する以下の表４が端末に送信される（送信ビームのインデックス情報は、基地局側でのみ保存され、端末に送信されない場合がある）。
【００９５】
【表４】
2020530723.tif 000013
【００９６】
任意選択で、特定の実施において、および本願の実施形態によって提供されるビーム情報を示す上記の方法において、上記のＢＰＬ識別子とＣＲＩとの間のマッピング関係テーブルは、高レベルのシグナリング（例えば、高レベルのシグナリングは、無線リソース制御（Ｒａｄｉｏ Ｒｅｓｏｕｒｃｅ Ｃｏｎｔｒｏｌ，ＲＲＣ）シグナリングまたはメディアアクセス制御（Ｍｅｄｉａ Ａｃｃｅｓｓ Ｃｏｎｔｒｏｌ，ＭＡＣ）層のシグナリングを指し得る）を通じて、基地局によって端末に送信され得る。
【００９７】
ステップＳ１０５：端末は、基地局によって送信されたＢＰＬ識別子とＣＲＩとの間のマッピング関係テーブルを受信し、最適な受信ビームを決定する。
【００９８】
端末は、ＣＲＩと受信ビームとの間の保存されたマッピング関係に従って、ＢＰＬ識別子と受信ビームとの間のマッピング関係を決定する。
【００９９】
例えば、表５に示されるようなマッピング関係テーブルが確立される。端末には合計８つの受信ビームがあり、ＣＳＩ−ＲＳリソース２４を受信するための最適な受信ビームは受信ビーム４、ＣＳＩ−ＲＳリソース３７を受信するための最適な受信ビームは受信ビーム７である。次に、端末は以下の表５に示すマッピング関係を確立する。ここで、ＢＰＬ識別子とＣＲＩの間のマッピング関係は、基地局から端末によって取得される。
【０１００】
【表５】
2020530723.tif 000014
【０１０１】
このように、本出願により提供されるビーム情報を示す方法は、ＢＰＬとＣＲＩとの間のマッピング関係を確立することによりビーム情報指示プロセスで占有されるリソースを制限し、それによりビーム情報指示プロセスのシステムオーバーヘッドを低減する。
【０１０２】
任意選択で、特定の実施および本出願の実施形態によって提供されるビーム情報を示す上記の方法において、基地局がステップＳ１０３でＢＰＬ識別子とＣＲＩとの間のマッピング関係を確立する基礎として、基地局によって報告された測定結果ではない場合がある。つまり、端末からの報告がある場合でも、基地局は、端末によって選択および報告されたＣＲＩからＢＰＬ識別子にマッピングされたＣＲＩを選択するように制限されない場合がある。たとえば、上記の例では、端末はＣＲＩ ２４およびＣＲＩ ３７を選択して報告するが、マルチユーザー送信をより適切にサポートするために、基地局は以下の表３-１に示すマッピング関係を確立できる。
【０１０３】
したがって、上記ステップＳ１０１およびＳ１０２は必須のステップではない。
【０１０４】
任意選択で、特定の実施形態および本願の実施形態によって提供されるビーム情報を示す上記の方法では、ステップＳ１０１〜Ｓ１０５の後、基地局および端末はＢＰＬ識別子間のマッピング関係を確立する。そして、基地局は、端末が受信ビームを変更せずに変更された送信ビームを正常に受信できる限り、基地局が端末にマッピング関係を送信した後、ＢＰＬ識別子にマッピングされた送信ビームを変更してもよい。この場合、ＢＰＬ識別子とＣＲＩの間のマッピング関係は更新されない。つまり、基地局は更新メッセージを端末に送信する必要がない。同様に、端末がＢＰＬ識別子とＣＲＩの間のマッピング関係を受信した後、端末はＢＰＬ識別子にマッピングされた受信ビームも変更する場合がある。
【０１０５】
送信ビームおよび受信ビームを更新する特定のプロセスを以下に紹介する。
【０１０６】
図２を参照すると、基地局側の送信ビーム更新プロセスは以下を含む。
【０１０７】
ステップＳ２０１：上記のステップＳ１０１〜Ｓ１０５（任意選択）の後、基地局は端末に対してＭ（Ｍ≧１）個の基準信号リソースを設定し、基地局は、Ｍ個の基準信号リソースにおいて、Ｍ個のダウンリンク送信ビームの基準信号を端末に送信する。
【０１０８】
基地局は、ステップＳ１０１〜Ｓ１０５で確立されたマッピング関係に従って、Ｍ個のダウンリンク送信ビームを決定する。たとえば、Ｍ個のダウンリンク送信ビームは、マッピング関係の１つのＣＲＩに関連するダウンリンク送信ビームであれば、マッピング関係は、例として以下の表６に示すとおりである。
【０１０９】
【表６】
2020530723.tif 000015
【０１１０】
基地局がＣＲＩ０に対応するダウンリンク送信ビーム（Ｔｘ ｂｅａｍ  ０）を選択する場合、Ｍ個のダウンリンク送信ビームとＴｘ ｂｅａｍ  ０との間の空間相関は特定の値よりも大きいか、または空間方向の角度差は特定の範囲内である。特定の実施では、Ｍビームのカバレッジエリアを拡大するために、基地局はより広い範囲のビームを含めることもできる。
【０１１１】
ステップＳ２０２：基地局は、Ｍ個の基準信号リソースの設定情報でＢＰＬ識別子を搬送する。
【０１１２】
当該ＢＰＬ識別子は、例えば、ステップＳ２０１で基地局によって選択されたＣＲＩに対応するＢＰＬ識別子である。基地局が表６を参照して、ＣＲＩ０に対応するダウンリンク送信ビーム（Txビーム０）を選択すると、対応するＢＰＬ識別子が０であることがわかる。
【０１１３】
Ｍ個の基準信号リソースが非周期的リソースである場合、ＢＰＬ識別子情報は、その非周期的トリガシグナリングで搬送されてもよい。
【０１１４】
ステップＳ２０３：端末は、ＢＰＬ識別子を含むＭ個の基準信号リソースの設定情報を受信する。
【０１１５】
端末は、ステップＳ１０５で決定されたＢＰＬと受信ビームとの間のマッピング関係（例えば、表５に示すマッピング関係）に従って決定されたＭ基準信号リソースの受信設定情報内のＢＰＬ識別子に対応するダウンリンク受信ビームを決定する。たとえば、表５を参照して、ＢＰＬ識別子が０の場合、決定された受信ビームは４である受信ビームである。
【０１１６】
ステップＳ２０４：端末は、ステップＳ２０３で決定された受信ビームを用いてＭ個の基準信号リソースで基準信号を受信し、これらの基準信号を測定する。測定結果に基づいて、端末は、その中のＱ１個のＣＳＩ−ＲＳリソースを選択し、Ｑ個のＣＳＩ−ＲＳリソースに対応する識別子とその品質指標を基地局にフィードバックすることができる。ここで、信号品質指標は、例えばＲＳＲＰであり得る。ＣＳＩ−ＲＳリソースの識別子は、ＣＲＩの形式でフィードバックできる。ＣＲＩのインデックスの値は０〜Ｍ-１である。
【０１１７】
ステップＳ２０５：基地局は、端末によって報告された測定結果を受信し、測定結果に従って、ＢＰＬ識別子とＣＲＩとの間のマッピング関係での対応するダウンリンク送信ビームを更新するかどうかを決定する。
【０１１８】
それは、例として以下に示される。
【０１１９】
基地局および端末によって確立されたＣＲＩとＢＰＬ識別子との間のマッピング関係は、以下の表７および８に示されるとおりであると想定される。
【０１２０】
基地局側で保存されたマッピング関係（具体的には、ＣＲＩ、ＢＰＬ識別子、および送信ビームインデックス三者間の対応を含む）：
【０１２１】
【表７】
2020530723.tif 000016
【０１２２】
端末側で保存されたマッピング関係（特にＣＲＩ、ＢＰＬ識別子、受信ビームインデックス三者間の対応を含む）：
【０１２３】
【表８】
2020530723.tif 000017
【０１２４】
Ｍ ＝ ８、８つの基準信号リソースで基地局によって運ばれるＢＰＬ識別子は１であり、基地局は送信ビーム３７に関連する８つのダウンリンク送信ビームを選択すると仮定される。
【０１２５】
具体的には、送信ビーム３６、３７、および３８に対応する空間ポインティング角度はそれぞれＴ３６、Ｔ３７、およびＴ３８であると想定され、基地局によって選択される８つのダウンリンク送信ビームの空間ポインティング角度は次のようになる：T３６、T３６ + d、T３６ + ２d、...、T３６ + ６d、T３８、ここで、d =（T３８-T３６）/ ７である。混乱を避けるために、これらの８つのビームはそれぞれa０、a１、...、a７として示されている。
【０１２６】
表８に示すように、端末は受信ビーム７を使用して、これらの８つの基準信号リソースで基準信号を受信する。測定後、端末は８つの基準信号リソースの１つを選択する。このリソースはリソース０であり、対応するダウンリンク送信ビームはa０であり、端末はＣＳＩ−ＲＳリソース０の識別子を基地局に報告すると想定されている。
【０１２７】
基地局は、端末によって報告されたＣＳＩ−ＲＳリソース識別子を受信した後に判断を行う。基地局が、端末によって選択されたビームa０の品質がＢＰＬ識別子１に対応するダウンリンク送信ビーム３７の品質よりも良いと判断した場合、基地局は、ＢＰＬ識別子１に対応するダウンリンク送信ビームをa０に変更する。
【０１２８】
基地局側でのＣＲＩ、ＢＰＬ識別子、および送信ビーム三者間の更新されたマッピング関係表は、以下の表９に示されるとおりである：
【０１２９】
【表９】
2020530723.tif 000018
【０１３０】
端末側のマッピング関係は変更されない。
【０１３１】
基地局は、端末が、受信ビームを変更することなく、変更された送信ビームを使用して基地局によって送信されたデータまたはシグナリングを通常受信できる限り、ＢＰＬ識別子にマッピングされた送信ビームを変更してもよい。ＢＰＬ識別子とＣＲＩの間のマッピング関係が変更されない限り、基地局側で保存されたマッピング関係が更新された後に端末に通知する必要がない。
【０１３２】
同様に、図３を参照すると、ビーム更新は端末側で受信される。
【０１３３】
ステップＳ３０１：上記のステップＳ１０１〜Ｓ１０５の後、基地局は端末に対してＭ（Ｍ≧１）個の基準信号リソースを設定し、基地局はＭ個のダウンリンク送信ビームの基準信号をＭ個の基準信号リソースにおいて、端末に送信する。
【０１３４】
基地局は、ステップＳ１０１〜Ｓ１０５で確立されたマッピング関係に従って、Ｍ個のダウンリンク送信ビームを決定する。例えば、Ｍ個のダウンリンク送信ビームは、マッピング関係の１つのＣＲＩに関連するダウンリンク送信ビームであれば、マッピング関係は、一例として上記ステップＳ２０１の表６に示される通りである。基地局は、ＣＲＩ０に対応するダウンリンク送信ビーム（Ｔｘ ｂｅａｍ ０）を選択し、対応するＢＰＬ識別子は０である。
【０１３５】
ステップＳ３０２：基地局は、Ｍ個の基準信号リソースの設定情報でＢＰＬ識別子を搬送する。
【０１３６】
ＢＰＬ識別子は、例えば、ステップＳ３０１で基地局によって選択されたＣＲＩに対応するＢＰＬ識別子、すなわち、ＢＰＬ０である。Ｍ個の基準信号リソースが非周期的リソースである場合、ＢＰＬ識別子情報もその非周期的なトリガシグナリング中に搬送される。
【０１３７】
ステップＳ３０３：端末は、その中で搬送されるＢＰＬ識別子を含む、Ｍ個の基準信号リソースの設定情報を受信する。
【０１３８】
ステップＳ３０４：端末は、Ｍ個の基準信号リソースで基準信号を受信し、これらの基準信号を測定する。測定結果に基づいて、端末は受信ビームを更新する。具体的には、
例えば、端末は、Ｍ個の受信ビームを使用することにより、それぞれＭ個の基準信号リソースで基準信号を受信し、最高の受信信号品質を有するビームを新しい受信ビームとする。信号品質指標は、例えばＲＳＲＰであり得る。
【０１３９】
ステップＳ３０５：端末は、基地局によって設定されたＢＰＬ識別子（すなわち、ステップＳ３０３で端末によって取得されたＢＰＬ識別子）に対応するダウンリンク受信ビームを、端末によって保存されたＢＰＬ、ＣＲＩおよび受信ビーム間のマッピング関係で更新する。たとえば、表５の３番目の列の内容が更新される。
【０１４０】
それは、例として以下に示される。
【０１４１】
第１の実施形態：
基地局および端末によって確立されたＣＲＩとＢＰＬ識別子との間のマッピング関係は、上記の表７および８にそれぞれ示される通りであると想定される。
【０１４２】
Ｍ ＝ ８であり、８つの基準信号リソースで基地局によって搬送されるＢＰＬ識別子は１であり、基地局は、送信ビーム３７を使用して８つの基準信号リソースで基準信号を端末に送信すると仮定する。
【０１４３】
端末は、８つの受信ビームを使用することによって、８つの基準信号リソース上でそれぞれ基準信号を受信する。基準信号リソース０の受信品質を最適に設定する方が良い場合があり、基準信号リソース０に対応する受信ビームはr０である。
【０１４４】
次いで、端末は、ＢＰＬ識別子１に対応するダウンリンク受信ビームをｒ０に変更する。
【０１４５】
端末側でのＣＲＩ、ＢＰＬ識別子、および受信ビーム三者の間の更新されたマッピング関係テーブルは、以下の表１０に示されるとおりである。
【０１４６】
【表１０】
2020530723.tif 000019
【０１４７】
基地局側のマッピング関係は変更されないままである。
【０１４８】
オプションとして、特定の実施において、および本願の実施形態によって提供されるビーム情報を示す上記の方法において、基地局と端末との間の送信および受信関係は交換されてもよく、これは限定されない。ここに、上記の例では、基地局が送信側であり、端末が受信側である。
【０１４９】
要約すると、図４に示されるように、送信端において、本願の実施形態により提供されるビームトレーニング方法は以下を含む。
【０１５０】
ステップＳ４０１：送信端は、ＢＰＬ識別子と送信ビームとの間の第１のマッピング関係を決定する。
【０１５１】
ステップＳ４０２：送信端は、受信端のための第１の基準信号リソースを設定し、前記第１の基準信号リソースの設定情報を前記受信端に送信し、前記設定情報は第１のＢＰＬ識別子を搬送する。
【０１５２】
明確にするために、および説明で言及される他の基準信号リソースと区別するために、ここで受信端のために送信端によって設定される基準信号リソースは、第１の基準信号リソースと呼ばれる。したがって、受信側でも同様である。
【０１５３】
明確にするために、および説明で言及される他のＢＰＬ識別子と区別するために、送信側によって受信側に送信されるＢＰＬ識別子は、第１のＢＰＬ識別子と呼ばれる。したがって、受信側でも同様である。
【０１５４】
任意選択で、特定の実施形態および本願の実施形態によって提供されるビーム情報を示す上記の方法では、前記第１のマッピング関係は、具体的には、ＢＰＬ識別子、チャネル状態情報第１の基準信号リソースインジケータ（ＣＲＩ）および送信ビーム間のマッピング関係を含む。
【０１５５】
任意選択で、特定の実施形態および本願の実施形態によって提供されるビーム情報を示す上記の方法では、基地局側で確立されたＢＰＬ識別子、ＣＲＩおよび送信ビーム間のマッピング関係を第１のマッピング関係と呼ぶことができる。たとえば、上記の表１に示すマッピング関係。
【０１５６】
任意選択で、特定の実施形態および本願の実施形態によって提供される上述のビームトレーニング方法では、方法はさらに以下を含む。
【０１５７】
前記送信端は、前記第１のマッピング関係内の前記第１のＢＰＬ識別子に対応する第１の送信ビームを更新する。
【０１５８】
任意選択で、特定の実施において、および本願の実施形態によって提供される上述のビームトレーニング方法において、前記送信端が、前記第１のマッピング関係内の前記第１のＢＰＬ識別子に対応する第１の送信ビームを更新する場合、
前記送信端は、前記第１の基準信号リソースにおいて、前記受信端が前記基準信号を測定して報告するように、前記受信端に基準信号を送信し、
前記送信端は、前記受信端によって送信された前記基準信号の測定報告結果に基づいて、前記第１のマッピング関係内の前記第１のＢＰＬ識別子に対応する第１の送信ビームを更新する（たとえば、上記の表９に示すマッピング関係でもよい）。
【０１５９】
任意選択で、特定の実施形態および本願の実施形態によって提供される上述のビームトレーニング方法では、方法はさらに以下を含む。
【０１６０】
前記送信端は、前記第１のＢＰＬ識別子に対応する第１の送信ビームを使用して、前記第１の基準信号リソースにおいて、前記受信端が第２のマッピング関係を更新するように、前記受信端に基準信号を送信し、
前記第２のマッピング関係は、ＢＰＬ識別子、ＣＲＩおよび受信ビーム間のマッピング関係を含む。
【０１６１】
任意選択で、特定の実施形態および本願の実施形態によって提供されるビーム情報を示す上記の方法では、端末側で確立されたＢＰＬ識別子、ＣＲＩ、および送信ビーム間のマッピング関係は第２のマッピング関係と呼ばれる。たとえば、上記の表５に示すマッピング関係。
【０１６２】
任意選択で、特定の実施形態および本願の実施形態によって提供される上述のビームトレーニング方法では、前記受信端が第２のマッピング関係を更新する場合、
前記受信端は、前記第２のマッピング関係内の前記第１のＢＰＬ識別子に対応する第１の受信ビームを更新する（たとえば、上記の表１０１に示すマッピング関係でもよい）。
【０１６３】
任意選択で、特定の実施形態および本願の実施形態によって提供される上述のビームトレーニング方法では、前記送信端は、次のように前記第１のマッピング関係を決定し、
前記送信端は、前記受信端のための第２の基準信号リソースを設定し、
前記送信端は、前記第２の基準信号リソースにおいて、前記受信端が前記基準信号を測定して報告するように、前記受信端に基準信号を送信し、
前記送信端は、前記受信端によって送信された前記基準信号の測定報告結果に基づいて、前記第１のマッピング関係を決定する。
【０１６４】
任意選択で、特定の実施形態および本願の実施形態によって提供される上述のビームトレーニング方法では、方法はさらに以下を含む：
前記送信側は、ＢＰＬ識別子とＣＲＩの間のマッピング関係（たとえば、上記の表４に示すマッピング関係でもよい）を受信側に送信する。
【０１６５】
同様に、図５に示されるように、受信端において、本願の実施形態により提供されるビームトレーニング方法は以下を含む。
ステップＳ５００１：受信端は、ビームペアリンク（ＢＰＬ）識別子と受信ビームとの間の第２のマッピング関係を決定する。
ステップＳ５００２：受信端は、送信端によって送信された第１の基準信号リソースの設定情報を受信し、設定情報は第１のＢＰＬ識別子を含む。
ステップＳ５００３：前記受信端は、前記第１の基準信号リソースを通じて前記送信端によって送信された基準信号を受信する。
【０１６６】
任意選択で、特定の実施形態および本願の実施形態によって提供される上述のビームトレーニング方法では、前記第２のマッピング関係は、ＢＰＬ識別子、チャネル状態情報基準信号リソースインジケータ（ＣＲＩ）、および受信ビーム間のマッピング関係を含む。
【０１６７】
任意選択で、特定の実施形態および本願の実施形態によって提供される上述のビームトレーニング方法では、方法はさらに以下を含む。
前記受信端は、前記第２のマッピング関係内の前記第１のＢＰＬ識別子に対応する第１の受信ビームを更新する。
【０１６８】
任意選択で、特定の実施形態および本願の実施形態によって提供される上述のビームトレーニング方法では、前記受信端が、前記第２のマッピング関係内の前記第１のＢＰＬ識別子に対応する第１の受信ビームを更新する場合、
前記受信端は、送信端によって送信された基準信号を受信し、前記基準信号の測定結果に基づいて、前記第２のマッピング関係内の前記第１のＢＰＬ識別子に対応する第１の受信ビームを更新する。
【０１６９】
任意選択で、特定の実施形態および本願の実施形態によって提供される上述のビームトレーニング方法では、前記受信端は、前記第１のＢＰＬ識別子に対応する第１の受信ビームを使用して、前記基準信号を受信し、
この方法ではさらに、前記受信端は、前記送信端によって第１のマッピング関係を更新するように、前記基準信号の測定結果を前記送信端に報告する。
【０１７０】
前記第１のマッピング関係は、ＢＰＬ識別子、ＣＲＩ、および送信ビーム間のマッピング関係を含む。
【０１７１】
任意選択で、特定の実施形態および本願の実施形態によって提供される上述のビームトレーニング方法において、前記送信端が第１のマッピング関係を更新する場合、
前記送信端は、前記第１のマッピング関係内の前記第１のＢＰＬ識別子に対応する送信ビームを更新する。
【０１７２】
任意選択で、特定の実施形態および本願の実施形態によって提供される上述のビームトレーニング方法において、前記受信端は、次のように前記第２のマッピング関係を決定し、
前記受信端は、前記送信端によって送信された第２の基準信号リソース設定情報を受信し、
前記受信端は、前記第２の基準信号リソースにおいて、前記送信端によって送信された基準信号リソース設定情報を受信し、
前記受信端は、前記基準信号リソースにおいて、前記送信端によって送信された基準信号を受信し、各第２の基準信号リソースに対応する受信ビームを決定し、ＣＲＩと受信ビームとの間のマッピング関係を決定し、
前記受信端は、前記送信端によって送信されたＢＰＬ識別子とＣＲＩとの間のマッピング関係を受信し、
前記受信端は、前記ＣＲＩと受信ビームとの間のマッピング関係および前記ＢＰＬ識別子とＣＲＩとの間のマッピング関係に基づいて、前記第２のマッピング関係を決定する。
【０１７３】
上述の方法に対応して、本出願の実施形態はさらに以下の装置を提供する：
図６を参照すると、送信端において、本願の実施形態によって提供されるビームトレーニング装置は、
ＢＰＬ識別子と送信ビームとの間の第１のマッピング関係を決定するように構成された第１のユニット６１と、
受信端に対して第１の基準信号リソースを設定し、第１の基準信号リソースの設定情報を受信端に送信するように構成された第２のユニット６２とを備える。
【０１７４】
前記設定情報は第１のＢＰＬ識別子を搬送する。
【０１７５】
任意選択で、本願の実施形態によって提供される上述のビームトレーニング装置では、前記第１のマッピング関係は、具体的には、ＢＰＬ識別子、チャネル状態情報第１の基準信号リソースインジケータ（ＣＲＩ）および送信ビーム間のマッピング関係を含む。
【０１７６】
任意選択で、本願の実施形態によって提供される上述のビームトレーニング装置では、前記第１のユニット６１はさらに、
前記第１のマッピング関係内の前記第１のＢＰＬ識別子に対応する第１の送信ビームを更新する。
【０１７７】
任意選択で、本願の実施形態によって提供される上述のビームトレーニング装置では、前記第１のユニット６１が前記第１のマッピング関係内の前記第１のＢＰＬ識別子に対応する第１の送信ビームを更新する場合、
前記第１の基準信号リソースにおいて、前記受信端が前記基準信号を測定して報告するように、前記受信端に基準信号を送信し、
前記受信端によって送信された前記基準信号の測定報告結果に基づいて、前記第１のマッピング関係内の前記第１のＢＰＬ識別子に対応する第１の送信ビームを更新する。
【０１７８】
任意選択で、本願の実施形態によって提供される上述のビームトレーニング装置では、前記第２のユニット６２はさらに、
前記第１のＢＰＬ識別子に対応する第１の送信ビームを使用して、前記第１の基準信号リソースにおいて、前記受信端が第２のマッピング関係を更新するように、前記受信端に基準信号を送信し、
前記第２のマッピング関係は、ＢＰＬ識別子、ＣＲＩおよび受信ビーム間のマッピング関係を含む。
【０１７９】
任意選択で、本願の実施形態によって提供される上述のビームトレーニング装置では、前記受信端が第２のマッピング関係を更新する場合、前記受信端は、前記第２のマッピング関係内の前記第１のＢＰＬ識別子に対応する第１の受信ビームを更新する。
【０１８０】
任意選択で、本願の実施形態によって提供される上述のビームトレーニング装置では、前記第１のユニット６１は次のように前記第１のマッピング関係を決定し、
前記受信端のための第２の基準信号リソースを設定し、
前記第２の基準信号リソースにおいて、前記受信端が前記基準信号を測定して報告するように、前記受信端に基準信号を送信し、
前記受信端によって送信された前記基準信号の測定報告結果に基づいて、前記第１のマッピング関係を決定する。
【０１８１】
任意選択で、本願の実施形態によって提供される上述のビームトレーニング装置では、前記第２のユニット６２はさらに、
ＢＰＬ識別子とＣＲＩとの間のマッピング関係を前記受信端に送信する。
【０１８２】
図７を参照すると、受信端では、本出願の実施形態に係るビームトレーニング装置，当該装置は、
ビームペアリンク（ＢＰＬ）識別子と受信ビームとの間の第２のマッピング関係を決定するように構成された第３のユニット７１と、
送信端によって送信された第１の基準信号リソースの設定情報を受信するように構成された第４のユニット７２と、
前記送信端が前記第１の基準信号リソースを通じて送信した基準信号を受信するように構成された第５のユニット７３とを備える。
【０１８３】
前記設定情報は第１のＢＰＬ識別子を含む。
【０１８４】
任意選択で、本出願の実施形態によって提供される上述のビームトレーニングデバイスでは、前記第２のマッピング関係は、ＢＰＬ識別子、チャネル状態情報基準信号リソースインジケータ（ＣＲＩ）、および受信ビーム間のマッピング関係を含む。
【０１８５】
任意選択で、本出願の実施形態によって提供される上述のビームトレーニングデバイスでは、前記第３のユニット７１はさらに、
前記第２のマッピング関係内の前記第１のＢＰＬ識別子に対応する第１の受信ビームを更新する。
【０１８６】
任意選択で、本出願の実施形態によって提供される上述のビームトレーニングデバイスでは、前記第３のユニット７１が前記第２のマッピング関係内の前記第１のＢＰＬ識別子に対応する第１の受信ビームを更新する場合、
送信端によって送信された基準信号を受信し、前記基準信号の測定結果に基づいて、前記第２のマッピング関係内の前記第１のＢＰＬ識別子に対応する第１の受信ビームを更新する。
【０１８７】
任意選択で、本出願の実施形態によって提供される上述のビームトレーニングデバイスでは、前記第５のユニット７３前記第１のＢＰＬ識別子に対応する第１の受信ビームを使用して、前記基準信号を受信し、
前記第５のユニット７３はさらに、
前記送信端が第１のマッピング関係を更新するように、前記基準信号の測定結果を前記送信端に報告し、
前記第１のマッピング関係は、ＢＰＬ識別子、ＣＲＩ、および送信ビーム間のマッピング関係を含む。
【０１８８】
任意選択で、本出願の実施形態によって提供される上述のビームトレーニングデバイスでは、前記送信端が第１のマッピング関係を更新する場合、
前記送信端は、前記第１のマッピング関係内の前記第１のＢＰＬ識別子に対応する送信ビームを更新する。
【０１８９】
任意選択で、本出願の実施形態によって提供される上述のビームトレーニングデバイスでは、前記第３のユニット７１は次のように前記第２のマッピング関係を決定し、
前記送信端によって送信された第２の基準信号リソース設定情報を受信し、
前記第２の基準信号リソースにおいて、前記送信端によって送信された基準信号を受信し、各第２の基準信号リソースに対応する受信ビームを決定し、ＣＲＩと受信ビームとの間のマッピング関係を決定し、
前記送信端によって送信されたＢＰＬ識別子とＣＲＩとの間のマッピング関係を受信し、
前記ＣＲＩと受信ビームとの間のマッピング関係および前記ＢＰＬ識別子とＣＲＩとの間のマッピング関係に基づいて、前記第２のマッピング関係を決定する。
【０１９０】
図８を参照すると、送信端において、本出願の実施形態に係る別のビームトレーニング装置は、メモリ５２０内のプログラムを読み取り、以下のプロセスを実行するように構成されたプロセッサ５００を備える。
【０１９１】
前記プロセッサ５００は、ビームペアリンク（ＢＰＬ）識別子と送信ビームとの間の第１のマッピング関係を決定し、
受信端のための第１の基準信号リソースを設定し、送受信機５１０を通じて前記受信端に前記第１の基準信号リソースの設定情報を送信し、前記設定情報は第１のＢＰＬ識別子を搬送する。
【０１９２】
任意選択で、前記第１のマッピング関係は、具体的には、ＢＰＬ識別子、チャネル状態情報第１の基準信号リソースインジケータ（ＣＲＩ）および送信ビーム間のマッピング関係を含む。
【０１９３】
任意選択で、前記プロセッサ５００はさらに、前記第１のマッピング関係内の前記第１のＢＰＬ識別子に対応する第１の送信ビームを更新する。
【０１９４】
任意選択で、前記プロセッサ５００が前記第１のマッピング関係内の前記第１のＢＰＬ識別子に対応する第１の送信ビームを更新する場合、
前記第１の基準信号リソースにおいて、送受信機５１０を通じて前記受信端が前記基準信号を測定して報告するように、前記受信端に基準信号を送信し、
前記受信端によって送信された前記基準信号の測定報告結果に基づいて、前記第１のマッピング関係内の前記第１のＢＰＬ識別子に対応する第１の送信ビームを更新する。
【０１９５】
任意選択で、前記プロセッサ５００はさらに、前記第１のＢＰＬ識別子に対応する第１の送信ビームを使用して、前記第１の基準信号リソースにおいて、送受信機５１０を通じて前記受信端が第２のマッピング関係を更新するように、前記受信端に基準信号を送信する。
【０１９６】
前記第２のマッピング関係は、ＢＰＬ識別子、ＣＲＩおよび受信ビーム間のマッピング関係を含む。
【０１９７】
任意選択で、前記受信端が第２のマッピング関係を更新する場合、
前記受信端は、前記第２のマッピング関係内の前記第１のＢＰＬ識別子に対応する第１の受信ビームを更新する。
【０１９８】
任意選択で、前記プロセッサ５００次のように前記第１のマッピング関係を決定し、
前記受信端のための第２の基準信号リソースを設定し、
前記第２の基準信号リソースにおいて、送受信機５１０を通じて前記受信端が前記基準信号を測定して報告するように、前記受信端に基準信号を送信し、
前記受信端によって送信された前記基準信号の測定報告結果に基づいて、前記第１のマッピング関係を決定する。
【０１９９】
任意選択で、前記プロセッサ５００はさらに、ＢＰＬ識別子とＣＲＩとの間のマッピング関係を前記受信端に送信する。
【０２００】
送受信機５１０は、プロセッサ５００の制御下でデータを送受信するように構成される。
【０２０１】
ここで、図８において、バスアーキテクチャは、いずれ数の相互接続するバス及びブリッジを備える。具体的に、プロセッサ５００で表す１つまたは複数のプロセッサ及メモリ５２０で表すメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の要素、すなわち、送信機と受信機を含むことができ、伝送媒体を介して様々な他の装置と通信するためのユニットを提供する。プロセッサ５００は、バスアーキテクチャを管理し、通常の処理を実行する役割を果たし、メモリ５２０は、プロセッサ５００が動作を実行するときに使用されるデータを格納することができる。
【０２０２】
プロセッサ５００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジック装置（Ｃｏｍｐｌｅｘ Ｐｒｏｇｒａｍｍａｂｌｅ Ｌｏｇｉｃ Ｄｅｖｉｃｅ，ＣＰＬＤ）とすることができる。
【０２０３】
図９を参照すると、受信端において、本出願の実施形態に係るビームトレーニング装置は、メモリ６２０内のプログラムを読み取り、以下のプロセスを実行するように構成されたプロセッサ６００を備える。
【０２０４】
プロセッサ６００は、ビームペアリンク（ＢＰＬ）識別子と受信ビームとの間の第２のマッピング関係を決定し、
送受信機６１０を通じて送信端によって送信された第１の基準信号リソースの設定情報を受信し、前記設定情報は第１のＢＰＬ識別子を含み、
送受信機６１０を通じて前記送信端が前記第１の基準信号リソースを通じて送信した基準信号を受信する。
【０２０５】
任意選択で、前記第２のマッピング関係は、ＢＰＬ識別子、チャネル状態情報基準信号リソースインジケータ（ＣＲＩ）、および受信ビーム間のマッピング関係を含む。
【０２０６】
任意選択で、前記プロセッサ６００はさらに、
前記第２のマッピング関係内の前記第１のＢＰＬ識別子に対応する第１の受信ビームを更新する。
【０２０７】
任意選択で、前記プロセッサ６００が前記第２のマッピング関係内の前記第１のＢＰＬ識別子に対応する第１の受信ビームを更新する場合、
送受信機６１０を通じて送信端によって送信された基準信号を受信し、前記基準信号の測定結果に基づいて、前記第２のマッピング関係内の前記第１のＢＰＬ識別子に対応する第１の受信ビームを更新する。
【０２０８】
任意選択で、前記プロセッサ６００前記第１のＢＰＬ識別子に対応する第１の受信ビームを使用して、前記基準信号を受信し、
前記プロセッサ６００はさらに、
前記送信端が第１のマッピング関係を更新するように、前記基準信号の測定結果を前記送信端に報告し、
前記第１のマッピング関係は、ＢＰＬ識別子、ＣＲＩ、および送信ビーム間のマッピング関係を含む。
【０２０９】
任意選択で、前記送信端が第１のマッピング関係を更新する場合、
前記送信端は、前記第１のマッピング関係内の前記第１のＢＰＬ識別子に対応する送信ビームを更新する。
【０２１０】
任意選択で、前記プロセッサ６００は次のように前記第２のマッピング関係を決定し、
送受信機６１０を通じて前記送信端によって送信された第２の基準信号リソース設定情報を受信し、
前記第２の基準信号リソースにおいて、送受信機６１０を通じて前記送信端によって送信された基準信号を受信し、各第２の基準信号リソースに対応する受信ビームを決定し、ＣＲＩと受信ビームとの間のマッピング関係を決定し、
送受信機６１０を通じて前記送信端によって送信されたＢＰＬ識別子とＣＲＩとの間のマッピング関係を受信し、
前記ＣＲＩと受信ビームとの間のマッピング関係および前記ＢＰＬ識別子とＣＲＩとの間のマッピング関係に基づいて、前記第２のマッピング関係を決定する。
【０２１１】
送受信機６１０は、プロセッサ６００の制御下でデータを送受信するように構成される。
【０２１２】
ここで、図７において、バスアーキテクチャは、いずれの数の相互接続するバス及びブリッジを備える。具体的に、プロセッサ６００で表す１つまたは複数のプロセッサ及びメモリ６２０で表すメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０２１３】
プロセッサ６００は、バスアーキテクチャを管理し、通常の処理を実行する役割を果たし、メモリ６２０は、プロセッサ６００が動作を実行するときに使用されるデータを格納することができる。
【０２１４】
選択可能で、プロセッサ５００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジック装置（Ｃｏｍｐｌｅｘ Ｐｒｏｇｒａｍｍａｂｌｅ Ｌｏｇｉｃ Ｄｅｖｉｃｅ，ＣＰＬＤ）とすることができる。
【０２１５】
同様に、本願の実施形態は、上述のビームトレーニング装置のいずれか１つを含む通信システム、すなわち、実施形態によって提供される通信システム（または通信装置とも呼ばれる）をさらに提供する。本願は、ビーム情報を示す装置とビーム情報を同時に決定する装置の機能のすべてまたは一部を有してもよい。
【０２１６】
要約すると、本出願の実施形態によって提供される上述の解決策では、ＢＰＬ識別子とＣＲＩとの間のマッピング関係は、送信端で受信端のために設定され、第１のＢＰＬ識別子は設定情報で運ばれる。したがって、ＢＰＬ識別子のみが、送信端によって送信された基準信号リソースを受信する受信端が受信ビームを決定できるようになり、前記ＢＰＬ識別子は、送信端と受信側がＢＰＬマッピング関係を維持および更新することにより、ビームトレーニングプロセスのシステムオーバーヘッドを削減する。
【０２１７】
本分野の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【０２１８】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【０２１９】
それらのコンピュータプログラム指令は又、また、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０２２０】
これらのコンピュータプログラム指令は又、また、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０２２１】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０２２２】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【符号の説明】
【０２２３】
６１  第１のユニット
６２  第２のユニット
７１  第３のユニット
７２  第４のユニット
７３  第５のユニット
５００，６００  プロセッサ
５１０，６１０  送受信機
５２０，６２０  メモリ
６３０  ユーザーインターフェース
【図１】
2020530723.tif 000020
【図２】
2020530723.tif 000021
【図３】
2020530723.tif 000022
【図４】
2020530723.tif 000023
【図５】
2020530723.tif 000024
【図６】
2020530723.tif 000025
【図７】
2020530723.tif 000026
【図８】
2020530723.tif 000027
【図９】
2020530723.tif 000028
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
送信端は、ビームペアリンク（ＢＰＬ）識別子と送信ビーム間の第１のマッピング関係を決定するステップと、
前記送信端は、受信端のための第１の基準信号リソースを設定し、前記第１の基準信号リソースの設定情報を前記受信端に送信するステップとを備え、
前記設定情報は第１のＢＰＬ識別子を搬送することを特徴とするビームトレーニング方法。
【請求項２】
前記第１のマッピング関係は、具体的には、ＢＰＬ識別子、チャネル状態情報第１の基準信号リソースインジケータ（ＣＲＩ）および送信ビーム間のマッピング関係を含むことを特徴とする請求項１に記載のビームトレーニング方法。
【請求項３】
前記送信端は、前記第１のマッピング関係内の前記第１のＢＰＬ識別子に対応する第１の送信ビームを更新することを特徴とする請求項１に記載のビームトレーニング方法。
【請求項４】
前記送信端は、前記第１のＢＰＬ識別子に対応する第１の送信ビームを使用して、前記第１の基準信号リソースにおいて、前記受信端が第２のマッピング関係を更新するように、前記受信端に基準信号を送信し、
前記第２のマッピング関係は、ＢＰＬ識別子、ＣＲＩおよび受信ビーム間のマッピング関係を含むことを特徴とする請求項１に記載のビームトレーニング方法。
【請求項５】
前記受信端が第２のマッピング関係を更新する場合、
前記受信端は、前記第２のマッピング関係内の前記第１のＢＰＬ識別子に対応する第１の受信ビームを更新することを特徴とする請求項４に記載のビームトレーニング方法。
【請求項６】
前記送信端は、次のように前記第１のマッピング関係を決定し、
前記送信端は、前記受信端のための第２の基準信号リソースを設定し、
前記送信端は、前記受信端によって基準信号を測定して報告するように、前記第２の基準信号リソースにおいて、前記受信端に基準信号を送信し、
前記送信端は、前記受信端によって送信された前記基準信号の測定報告結果に基づいて、前記第１のマッピング関係を決定することを特徴とする請求項１に記載のビームトレーニング方法。
【請求項７】
前記送信端ＢＰＬ識別子とＣＲＩとの間のマッピング関係を前記受信端に送信することを特徴とする請求項１に記載のビームトレーニング方法。
【請求項８】
受信端は、ビームペアリンク（ＢＰＬ）識別子と受信ビームとの間の第２のマッピング関係を決定するステップと、
前記受信端は、送信端によって送信された第１の基準信号リソースの設定情報を受信するステップと、
前記受信端は、前記第１の基準信号リソースを通じて前記送信端によって送信された基準信号を受信するステップとを備え、
前記設定情報は第１のＢＰＬ識別子を含むことを特徴とするビームトレーニング方法。
【請求項９】
前記第２のマッピング関係は、ＢＰＬ識別子、チャネル状態情報基準信号リソースインジケータ（ＣＲＩ）、および受信ビーム間のマッピング関係を含むことを特徴とする請求項８に記載のビームトレーニング方法。
【請求項１０】
前記受信端は、前記第２のマッピング関係内の前記第１のＢＰＬ識別子に対応する第１の受信ビームを更新することを特徴とする請求項８に記載のビームトレーニング方法。
【請求項１１】
前記受信端は、前記第１のＢＰＬ識別子に対応する第１の受信ビームを使用して、前記基準信号を受信し、
前記受信端は、前記送信端によって第１のマッピング関係を更新するように、前記基準信号の測定結果を前記送信端に報告し、
前記第１のマッピング関係は、ＢＰＬ識別子、ＣＲＩ、および送信ビーム間のマッピング関係を含むことを特徴とする請求項８に記載のビームトレーニング方法。
【請求項１２】
前記送信端が第１のマッピング関係を更新する場合、
前記送信端は、前記第１のマッピング関係内の前記第１のＢＰＬ識別子に対応する送信ビームを更新することを特徴とする請求項１１に記載のビームトレーニング方法。
【請求項１３】
前記受信端は、次のように前記第２のマッピング関係を決定し、
前記受信端は、前記送信端によって送信された第２の基準信号リソース設定情報を受信し、
前記受信端は、第２の基準信号リソースにおいて、前記送信端によって送信された基準信号を受信し、各第２の基準信号リソースに対応する受信ビームを決定し、ＣＲＩと受信ビームとの間のマッピング関係を決定し、
前記受信端は、前記送信端によって送信されたＢＰＬ識別子とＣＲＩとの間のマッピング関係を受信し、
前記受信端は、前記ＣＲＩと受信ビームとの間のマッピング関係および前記ＢＰＬ識別子とＣＲＩとの間のマッピング関係に基づいて、前記第２のマッピング関係を決定することを特徴とする請求項８に記載のビームトレーニング方法。
【請求項１４】
ビームペアリンク（ＢＰＬ）識別子と送信ビームとの間の第１のマッピング関係を決定するように構成された第１のユニットと、
受信端のための第１の基準信号リソースを設定し、前記第１の基準信号リソースの設定情報を前記受信端に送信するように構成された第２のユニットとを備え、
前記設定情報は第１のＢＰＬ識別子を搬送することを特徴とするビームトレーニング装置。
【請求項１５】
前記第１のユニットはさらに、前記第１のマッピング関係内の前記第１のＢＰＬ識別子に対応する第１の送信ビームを更新することを特徴とする請求項１４に記載のビームトレーニング装置。
【請求項１６】
前記第１のユニットが前記第１のマッピング関係内の前記第１のＢＰＬ識別子に対応する第１の送信ビームを更新する場合、
前記第１の基準信号リソースにおいて、前記受信端が基準信号を測定して報告するように、送受信機を通じて前記受信端に基準信号を送信し、
前記受信端によって送信された前記基準信号の測定報告結果に基づいて、前記第１のマッピング関係内の前記第１のＢＰＬ識別子に対応する第１の送信ビームを更新することを特徴とする請求項１５に記載のビームトレーニング装置。
【請求項１７】
前記第１のユニットは次のように前記第１のマッピング関係を決定し、
前記受信端のための第２の基準信号リソースを設定し、
前記受信端が基準信号を測定して報告するように、前記第２の基準信号リソースにおいて、送受信機を通じて前記受信端に基準信号を送信し、
前記受信端によって送信された前記基準信号の測定報告結果に基づいて、前記第１のマッピング関係を決定することを特徴とする請求項１４に記載のビームトレーニング装置。
【請求項１８】
ビームペアリンク（ＢＰＬ）識別子と受信ビームとの間の第２のマッピング関係を決定するように構成された第３のユニットと、
送信端によって送信された第１の基準信号リソースの設定情報を受信するように構成された第４のユニットと、
第１の基準信号リソースを通じて前記送信端によって送信された基準信号を受信するように構成された第５のユニットとを備え、
前記設定情報は第１のＢＰＬ識別子を含むことを特徴とするビームトレーニング装置。
【国際調査報告】
2020530723.tif 000029
2020530723.tif 000030